(57)【要約】【課題】複数本のハリスを有する釣仕掛けにおいて、幹糸と釣り用の針及び針に付着したハリスを集結して一本の糸の如く取り扱うことを可能にして取扱いを容易にし、かつ針先を保護して針が周りの物品等にひっかかったり、人を傷つける危険を防止する器具を提供する。【解決手段】釣り用の針の先端を保護するとともに針を本体（１）に固定することを可能とする針の先端を収納できる孔部、及び幹糸（６）を挟むスリット（３）を備えたことを特徴とする幹糸・ハリス集結器具。【選択図】  図１
2004187586.tif 000002
【特許請求の範囲】
【請求項１】
幹糸に、ハリスに取り付けられた釣り用の針を固定し、幹糸とハリスを一体化して取り扱うことを可能とする、幹糸・ハリス集結器具であって、器具本体の一側面に長手方向全長に、幹糸挟用のスリットが設けられており、かつ、該本体の少なくとも一面に、前記釣り用の針の先端を収納できる孔部が設けられていることを特徴とする幹糸・ハリス集結器具。
【請求項２】
前記釣り用の針が、魚釣り用の実質的にＪ字型の釣針であって、前記孔部が、前記本体の底面に前記釣針の先端を差し込む孔として形成されており、かつ前記本体の、前記幹糸挟用スリットが設けられていない側面上方に、釣針の根本挟用スリットが設けられていることを特徴とする請求項１に記載の幹糸・ハリス集結器具。
【請求項３】
前記釣り用の針が、イカ釣り用の投針であって、前記本体がイカ釣り用の投針の胴体部を挿入可能な中空体として形成され、かつ本体の上端部に、前記孔部がイカ釣り用投針の針部を収納可能な孔部として形成されていることを特徴とする請求項１に記載の幹糸・ハリス集結器具。
【請求項４】
前記本体の側面に、縦方向に切り欠きが形成されていることを特徴とする請求項３に記載の幹糸・ハリス集結器具。
【発明の詳細な説明】
【０００１】
【発明の属する技術分野】
本発明は釣仕掛け用の幹糸・ハリス集結器具に関する。より詳しくは、釣仕掛け用釣糸の取り扱いを容易にし、かつ釣り用の針が人や周りの物品等にささる危険を防止する器具に関する。
【０００２】
【従来の技術】
一般に、サビキセットやイカ用の仕掛けなどの釣仕掛けセットは幹糸に複数本のハリスが接続され、これらハリスの先端に針が取り付けられた構造をしている。そのために複数の針が衣服等にひっかかったり、互いに絡み合ったりして、使用前後の取り扱い、特に糸巻きからの取り外し及び使用後の収納が困難であり、かつ取り扱い時に針が皮膚に刺さるなど安全性にも欠けるものである。
これに対して、針先を保護する器具としては、特許文献１の釣針保護シート、特許文献２の釣針ケース、特許文献３の釣針保護容器が知られている。
【０００３】
【特許文献１】特開平１０−１９１８５９号公報
【特許文献２】実開昭５６−１４１０８５号公報
【特許文献３】実開平３−７９６７４号公報
【０００４】
【発明が解決しようとする課題】
特許文献１〜３の釣針ケース等は、いずれも釣針を収納することを特徴とする。そのため、針が周りの物品や皮膚に刺さる危険を防止することが可能であり、また針が糸にひっかかることを防止することもできる。しかしこれらの製品を使用しても、複数本のハリスを有する釣り具独特の取扱いの困難さ、とりわけ複数本のハリスが存在することにより、糸が互いに絡まったり、幹糸にハリスが巻き付きついてほどくのが困難であるという取扱いの不便さは解決されない。
【０００５】
そこで、本発明は、このような釣仕掛けセットの取り扱いを容易にし、かつ針先を保護して安全に使用することができる新規な幹糸・ハリス集結器具を提供することを課題とする。
【０００６】
【課題を解決するための手段】
本発明では、幹糸に、ハリスに取り付けられた釣り用の針を固定し、幹糸とハリスを一体化して取り扱うことを可能とする、幹糸・ハリス集結器具を、器具本体の一側面に長手方向全長に、幹糸挟用のスリットが設けられており、かつ、該本体の少なくとも一面に、前記釣り用の針の先端を収納できる孔部が設けられたものとすることによって上記課題を解決した。
釣り用の針が、魚釣り用の実質的にＪ字型の釣針である場合には、本発明に係る幹糸・ハリス集結器具の前記孔部を、前記本体の底面に前記釣針の先端を差し込む孔として形成することにより、幹糸とハリスを一本の糸のように連結することが可能となる。
また前記本体の、前記幹糸挟用スリットが設けられていない側面上方に、釣針の根本挟用スリット形成することにより、釣針及びハリスを幹糸とより強固に連結することが可能になり、かつ針の脱落をより有効に防止することができる。
本発明に係る幹糸・ハリス集結器具の前記本体をイカ釣り用の投針の胴体部を挿入可能な中空体として形成し、かつ本体の上端部に、前記孔部をイカ釣り用投針の針部を収納可能な孔部として形成することにより、イカ用投針に適用することもできる。
【０００７】
本発明に係る幹糸・ハリス集結器具本体の形状及び大きさは、適用する針の形状及び大きさにより異なるが、釣り用の針が、実質的にＪ字型の釣針である場合には、平板状に形成されるのが、糸巻きに収納しやすいため好ましく、釣り用の針がイカ釣り用の投針である場合には、投針の胴体部を挿入する中空部を設けることができるよう円柱状や多角柱状に形成することが好ましい。
器具本体は、木製、金属製、合成樹脂製のいずれでもよいが、弾力性を有する素材から形成されるのが好ましい。また、軽量な素材により形成されることが、糸に負担をかけず、好ましい。
【０００８】
【実施例】
次に、本発明の実施例を添付図面を参照しながら以下説明する。
【０００９】
図１は、本発明に係る幹糸・ハリス集結器具を実質的にＪ字型の釣針に適用する場合の一例を示したものである。図１の（a）は斜視図であり、（b）はA−A断面図であり、（c）は使用状態を示す斜視図である。
この例では長方形の本体（１）の底面に、実質的にＪ字型の釣針（５）の先端を差し込む孔（２）が形成されており、本体（１）の一側面に長手方向全長に、幹糸挟用のスリット（３）が設けられている。
更に本実施例では本体（１）の幹糸挟用スリット（３）が設けられていない側面上方に、釣針の根本挟用スリット（４）が設けられている。
本体（１）は、弾力性を有する材質から形成されているため、幹糸挟用スリット（３）で幹糸を挟持でき、及び孔（２）に差込んだ針が容易にはずれない。
図で示すように、本体（１）に設けられた釣針の先端を差し込む孔（２）により針先が保護されるとともに釣針（５）が本体（１）と結合する。幹糸挟用スリット（３）に幹糸（６）を挟み込むことにより幹糸（６）と本体（１）が結合する。その結果として幹糸（６）と釣針（５）が連結され釣針に取り付けられたハリス（７）が幹糸（６）に沿って固定される。
なお、本実施例では本体（１）に釣針の根本挟用スリット（４）が設けられているので、釣針の根本部分をこのスリット（４）に差し込むことにより、釣針をより安定に固定して本体（１）からの脱落を起きにくくし、かつハリスと幹糸をより強固に連結することができる。
【００１０】
本発明により図２の如く、幹糸（６）とハリス（７）を集結して枝張りをなくし、一本の糸のように取り扱うことが可能となる。
なお、幹糸の先端部にも針が取り付けられている場合、この先端の針は幹糸と結合するために本発明を用いる必要はないが、この場合でも、針先を保護して取扱上の安全を図るために本発明を使用できるのは勿論である。
【００１１】
図３は本発明の本体を魚の形に擬した実施例の正面透視図である。
【００１２】
図４は、本発明に係る幹糸・ハリス集結器具をイカ釣り用の投針に適用する場合の一実施例の斜視図を示したものである。この例では本体（８）がイカ釣り用の投針の胴体部（１３）を挿入可能な中空体として形成され、本体（８）の側面に縦方向に切り欠き（９）が存在し、かつ上端部に、イカ釣り用投針の針部（１４）を収納可能な孔部（１１）が形成されている。
中空部（１０）はイカ釣り用の投針の胴体部（１３）を挟むのに適し、針部（１４）が通過しない大きさに形成されている。従って本体（８）の内部は投針の針先部全体を収納する孔部（１１）と、該孔部より直径が小さく投針の本体を保持するために形成された中空部（１０）の二段構造を有する。
なお、本実施例では、投針を孔部（１１）から挿入して本体（８）に装着する際に、投針の胴体部（１３）が中空部（１０）よりも太い場合でも、中空部（１０）を拡張して対応することができるよう、本体（８）を弾力性のある材質から形成し、さらに本体（８）の側面に、縦方向に切り欠き（９）を形成している。また、本体（８）が弾力性のある材質から形成されているため、幹糸（１６）をスリット（１２）で挟持できる。
投針の胴体部（１３）の太さが、全体にわたって中空部（１０）の直径より小さいイカ釣り用投針に本発明を適用する場合には、側面に切り欠き（９）を形成する必要はない。投針の胴体部（１３）が中空部（１０）より細ければ、中空部（１０）で投針の胴体部（１３）を圧して挟持することはできないが、中空部（１０）が投針の針部（１４）が通過できない大きさに形成されているため、投針は本体にひっかかり本体から脱落することはない。
【００１３】
図５はイカ釣り用の投針の正面図である。針部（１４）は一段からなるものもあれば、複数段からなるものもある。また胴体部（１３）については、全体が一様な太さから成るもの、針部の付け根の部分が他より細く形成されているもの、円柱状に形成されているもの、多角形の柱状に形成されているもの等、多種多様な形がある。
【００１４】
図６は第４図の製品の使用状態を示す正面透視図である。イカ釣り用の投針の針先部はその全体が孔部（１１）に収納されている。
なお、本図では針部が二段のイカ釣り用投針が例示されているが、針部が一段からなるものにも適用可能であること、あるいは孔部（１１）をより深く形成することにより、更に多数の段からなるイカ釣り用の投針にも適用が可能であることは勿論である。
【００１５】
図７は第４図の製品の使用状態を示す平面図である。
【００１６】
図８は、第４図の製品の使用状態を示す正面図である。
本体（８）に設けられた孔部（１１）によりイカ釣り用の投針の針先が保護されるとともに、中空部（１０）により投針の胴体部（１３）が本体（８）に収まる。幹糸挟用スリット（１２）に幹糸（１６）を挟み込むことにより幹糸（１６）と本体（８）が結合する。その結果として幹糸（１６）と投針が連結され投針に取り付けられたハリス（１５）が幹糸（１６）に沿って固定される。
【００１７】
図４に示す本発明に係る幹糸・ハリス集結器具の切り欠き部（９）の幅を広く形成することにより、アオリイカ用の餌木に適用することもできる。アオリイカ用の餌木は、一般に胴体部（１８）が針部（１７）よりかなり太く、また曲がった構造をしているものが多いため、孔部（１１）から挿入して本体（８）に装着することはできないが、針の付け根部分が細く形成されているため、この部分を切り欠き部（９）から中空部（１０）に押し込んで装着することが可能である。餌木釣りの仕掛けは複数本のハリスを使用しないが、餌木に本製品を装着することにより、餌木の針先を保護して安全に取り扱うことができ、スリット（１２）に釣り竿ガイド間の道糸を挟むことによって、餌木が固定され取扱いが容易となる。
なお、本発明に係る幹糸・ハリス集結器具をイカ釣り用の投針に適用する場合にも、切り欠き部（９）を幅広く形成することにより、イカ釣り用投針を切り欠き部（９）から中空部（１０）に押し込んで装着することが可能であることは勿論である。
【００１８】
図９はアオリイカ用の餌木の一例である。餌木はもともとは海老をかたどったルアーであり、大きさ・形は様々であるが、一般に図に示すようにややうねった形をし、針の付け根部分が細く形成されている。
【００１９】
【発明の効果】
本発明の使用によって、複数本のハリスを有する釣仕掛けを一本の糸の如く集結することができる。従って、糸が互いに絡まったり、幹糸にハリスが巻き付くことがなくなり、収納等の使用前後の釣仕掛けの取り扱いが容易になる。また、本発明をアオリイカ用の餌木に使用すれば、餌木を釣り竿ガイド間の道糸に固定できるため、餌木をつけたままでも釣り竿の取扱いが容易になる。更に、本発明では針先を保護できるため、針が周りの物品や皮膚に刺さる危険を防止することができ、取り扱いを安全に行うことが可能となる。
【図面の簡単な説明】
【図１】本発明を実質的にＪ字型の釣針に適用する場合の一実施例を示す幹糸・ハリス集結器具であって、（a）は斜視図であり、（b）はA−A断面図であり、（c）は使用状態を示す斜視図である。
【図２】第１図の製品の使用状態を示す釣仕掛けの全体図である。
【図３】魚の形に擬した本発明の一実施例を示す幹糸・ハリス集結器具の正面透視図である。
【図４】本発明に係る幹糸・ハリス集結器具をイカ釣り用の投針に適用する場合の一実施例の斜視図である。
【図５】イカ釣り用の投針の正面図である。
【図６】第４図の製品の使用状態を示す正面透視図である。
【図７】第４図の製品の使用状態を示す平面図である。
【図８】第４図の製品の使用状態を示す正面図である。
【図９】アオリイカ用の餌木の一例である。
【符号の説明】
１  本体
２  孔
３  スリット
４  スリット
５  釣針
６  幹糸
７  ハリス
８  本体
９  切り欠き
１０  中空部
１１  孔
１２  スリット
１３  胴体部
１４  針部
１５  ハリス
１６  幹糸
１７  針部
１８  胴体部
【図１】
2004187586.tif 000003
【図２】
2004187586.tif 000004
【図３】
2004187586.tif 000005
【図４】
2004187586.tif 000006
【図５】
2004187586.tif 000007
【図６】
2004187586.tif 000008
【図７】
2004187586.tif 000009
【図８】
2004187586.tif 000010
【図９】
2004187586.tif 000011